(57)【要約】【課題】不正を困難にし、かつオリジナリティを追求したトランプの提供。【解決手段】不正については、トレーディングカードのカード現出率を利用し、同じカードを入手困難とすることで不正を防ぐ。また、名前やセリフなどをカードの所有者が考え、専用オプションシールで貼付することにより、オリジナリティを付加するとともに不正を防止することが可能となる。  既存のキャラクタートランプがあるが、これはアニメなど１本に付き１個が主流で、たとえ同じアニメのものでも、製造した時期や企業によってトランプの裏面が異なると、混ぜて使うことはできない。対してトランプのトレーディングカード化は、裏面などを揃えるだけで、あらゆるアニメ・ゲームソフト・映画・小説から、少しずつの参入が、いつでも可能になるため、所有者又は所有世帯によって違う、独自の組み合わせのトランプを構成できる可能性がある。【選択図】図１
0003161037.tif 000002
【実用新案登録請求の範囲】
【請求項１】
トレーディングカード要素を組み合わせたトランプであり、トレーディングカードのように、スターターセットと必要に応じて数枚ずつ入れ替えながら構成していくことを特徴としていること。
【請求項２】
専用のオプションシールを貼付することで、カードの購入後に所有者自身がカードに名前やセリフなどの情報を上書き、又は追加を可能としていること。
【請求項３】
スペード、ハート、クラブ、ダイヤとカードの絵柄（キャラクターなど）の要素（種族や装備品など）を関連付けることで、トランプとしての世界観の維持を図るものであること。
例  スペード（悪魔）、ハート（天使）、クラブ（森の民）、ダイヤ（都会の民）など。
【考案の詳細な説明】
【技術分野】
【０００１】本考案は古くから親しまれているトランプに、新たな付加価値をつけるものである。
【背景技術】
【０００２】従来のトランプは、数字カードＡ〜１０を４セット、絵柄カードＪ、Ｑ、Ｋを４セット、ジョーカーを２枚の計５４枚で構成され、裏面はすべて同じ模様がプリントされている。【０００３】トレーディングカードゲームは、趣向を凝らした表面が特徴であり、製作企業やカードシリーズによって異なるルールを用いて、勝敗を決するゲームである。
【考案の開示】
【考案が解決しようとする課題】
【０００４】従来のトランプは裏面がすべて同じデザインで、表面も数字、絵柄、ジョーカーがすべて同じデザインのものが、大量に安価で販売されている。そのため、同じ規格、同じデザインのトランプを余分に１セット購入するだけで不正が容易に可能となっている。【０００５】デザインが類似し易い傾向にあり、オリジナリティに欠けている。【０００６】多くのトレーディングカードゲームは、その性質上ほとんどのケースで投資額がプレイヤーの強さに大きく影響し、お金が無い人ほど弱いという、子ども同士で遊ぶことも前提としておきながら、ある種残酷さを孕んでいたが、玩具である以上、ゲーム性と経済性は無関係が望ましい。【０００７】トレーディングカードゲームは、その性質上すべてのケースで相手プレイヤーを必要としている。しかしながら、トレーディングカードゲームには、「ハマる人はハマる。ハマらない人はハマらない。ハマるものはハマる。ハマらないものは決してハマらない。」といった、長所とも短所ともとれる性質があり、今それは短所となってデュエルスペースの閉鎖を招いている。これからのトレーディングカードゲームは、ネットやシステムに頼ることも大切だと思うが、一番身近で遊んでくれる存在、家族で遊べるようなものにしてはどうだろうか。本考案は、家族で遊べるトレーディングカードのコレクション性を持つトランプ、をコンセプトになされたものである。
【課題を解決するための手段】
【０００８】表面をすべて絵柄としてトレーディングカードとすることで、カードの現出率を利用し、容易に同じカードを入手できないようにする。【０００９】専用のオプションシールをカードに貼付可能とする。
【考案の効果】
【００１０】同じカードが入手しづらくため、不正がやり難くなる。【００１１】カードの所有者が、カードの名前やセリフを考え、シールで貼ることによりオリジナリティを出すことが可能となり、さらに不正がやり難くなる。【００１２】トランプとして遊ぶため、家族や友達が気軽に遊ぶことができ、また、その家庭ごとに違ったトランプを構成しているので、遊びに行った時のトランプはまた違った楽しさが味わえる。
【実施例１】
【００１３】まずキャラクターが既存のものでない場合（イ）と既存のものである場合（ロ）に分けて説明する。
（イ）．名前１、セリフ２はカード購入時にはプリントされていない。購入者自身に、お気に入りの名前やセリフを、別売の専用オプションシールで貼付し、楽しんでもらう。尚、オプションシールの名前やセリフは定例文も含めると、仕上がりが綺麗でよい。
（ロ）．例えばライトノベルのキャラクターである。漫画とは違い、絵が少ないため、作品１本で１個のキャラクタートランプを製作するには、イラストを多く書き下ろさなければならない。しかし、トレーディングカードとして作品ごとに数枚ずつ販売すれば、既存イラストのみでも作成可能であり、しかも購入者側にとっても、作品をまたいでお気に入りのキャラクターが揃うトランプを作成可能となる。また、以前のキャラクタートランプでは、１枚のカードを傷めてしまった場合、同じトランプをもう１セット購入しなければならなかったが、カードの数字をある程度、袋ごとに固定して販売することで、ゲームとしての機能はローコストで維持される。既存のキャラクターの場合、名前１、セリフ２は予めカードにプリントされている方が望ましい。【００１４】以上のようにカードを作成することで、購入者が名前やセリフを付けたキャラクターカードと、購入者が好きなキャラクターカードが共存するトランプを、購入者自身が構成できる。
【図面の簡単な説明】
【００１５】
【図１】本考案のトランプ、完成例（ハートのＡ）である。
【符号の説明】
【００１６】１  名前（既存のキャラクターの場合、印刷済みのものを提供）
２  セリフ（既存のキャラクターの場合、印刷済みのものを提供）
３  装備品（既存のイラストを使用する場合、最もそのキャラクターが適当と思われる系統（ハートなど）を選ぶことで対応）
【図１】
0003161037.tif 000003
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
カードの片面に、スペードやハートなどの記号や数字を印字し、トランプのルールを利用するトレーディングカードゲーム。
【請求項２】
プレイヤーが、名前やセリフなどのカードの情報について、上書きまたは追加をするために、カードの一部に専用シールを貼付することを特徴とする請求項１記載のトレーディングカードゲーム。
【請求項３】
カードのイラストの一部に、スペード、ハート、クラブ、ダイヤを使用することを特徴とする請求項１または２記載のトレーディングカードゲーム。
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
片面にスペードの記号を印字したカードと、片面にハートの記号を印字したカードと、片面にクラブを印字したカードと、片面にダイヤを印字したカードとからなるトレーディングカード。
【請求項２】
プレイヤーが、カードの名前やセリフについて、上書きまたは追加をするために、カードの形状に合わせた文字シールをセットとすることを特徴とする請求項１記載のトレーディングカード。
【請求項３】
カードのイラストの一部に、スペード、ハート、クラブ、ダイヤを使用することを特徴とする請求項１または２記載のトレーディングカード。